(57)【要約】【課題】  モーターを利用した排気機構を必要としない手袋装着装置を提供する。【解決手段】  ワンウェイノッチ機構２４のレバー２４ａの手前側を引き上げると、レバー２４ａの先端がスライダー凹部３４から外れる。すると、引っ張りバネ３３，３３の付勢力により、スライダー３０は支持フレーム２０から押し出される方向に駆動させられる。この動きは支持フレーム２０内の蛇腹２５の内部空間と、スライダー３０の内部空間を拡大させることになるので、内部に負圧を発生させる。内部が負圧となることでスライダー３０の開口端に被せられている手袋は外気の気圧によって押されてスライダー３０の内部に引き込まれ、さらに、負圧に応じて膨らむ。なお、負圧が発生することにより蛇腹底部開放穴２１は閉じ、負圧を維持する。【選択図】  図２
2018178346.tif 000002
【特許請求の範囲】
【請求項１】
有底筒状の外側ケースと、
この外側ケースの内周面に対して摺動可能であり、概略筒状に形成されて上記外側ケースから突き出る部位にて手袋の開口部位を装着可能な内側ケースと、
上記内側ケースを上記外側ケース内における摺動可能範囲にて押し出す方向に付勢する付勢機構と、
上記内側ケースの内部空間と気密的に連通し、上記摺動可能範囲にて、上記内側ケースと上記外側ケースとが離れると内部空間の容積が拡大し、上記内側ケースと上記外側ケースとが近接すると内部空間の容積が縮小する気密ケースと、
上記付勢機構に抗して相対的に上記内側ケースを上記外側ケースの奥側位置で保持および解放するノッチ機構と、
上記気密ケース内の正圧および負圧を維持および解放する弁機構とを備える手袋装着装置。
【請求項２】
上記気密ケースは、上記内側ケースと外側ケースとの間に、上記内側ケース内部空間と連通する伸縮可能な気密性を有する蛇腹を有することを特徴とする請求項１に記載の手袋装着装置。
【請求項３】
上記気密ケースは、上記内側ケースを上記外側ケースの内周面に対して気密的に摺動可能とし、上記外側ケースを気密的に形成した構成としてあることを特徴とする請求項１に記載の手袋装着装置。
【請求項４】
上記内側ケースにおける上記外側ケースから突き出る部位は、開口幅の狭い縮径状態と開口幅の広い拡径状態とに変化する開口幅調整機構を備えることを特徴とする請求項１〜請求項３のいずれかに記載の手袋装着装置。
【請求項５】
上記開口幅調整機構は、上記内側ケースにおける上記外側ケースから突き出る部位は長手方向と短手方向とを有する筒状であり、短手方向に厚み長さを変更可能とした構成であることを特徴とする請求項４に記載の手袋装着装置。
【請求項６】
上記外側ケースが基台に固定され、上記内側ケースが上記外側ケースに対して摺動可能となっていることを特徴とする請求項１〜請求項５のいずれかに記載の手袋装着装置。
【請求項７】
上記付勢機構は、圧縮バネで上記付勢を行うことを特徴とする請求項１〜請求項６のいずれかに記載の手袋装着装置。
【請求項８】
上記付勢機構は、引っ張りバネで上記付勢を行うことを特徴とする請求項１〜請求項６のいずれかに記載の手袋装着装置。
【請求項９】
上記内側ケースの外周面と上記外側ケースの内周面との間に環状の気密性のあるシール部材を介在させてあることを特徴とする請求項３に記載の手袋装着装置。
【発明の詳細な説明】
【技術分野】
【０００１】
本発明は、ゴム手袋を装着する手袋装着装置に関する。
【背景技術】
【０００２】
弾力のある樹脂やゴムを利用した手袋は日常的に各種の分野で利用されている。素材にかかわらず気密性のある手袋を一般的にゴム手袋と呼ぶことにする。
密着性の高いゴム手袋は装着に手間がかかるため、有底筒状としたケースにおける筒状の開口部にゴム手袋の開口部位を気密的に装着し、同ケース内に負圧を供給することでゴム手袋の周囲に負圧を発生させ、ゴム手袋を膨らませる手袋装着装置が利用されている。
【０００３】
このようにケース内に負圧を供給するためには、特許文献１や特許文献２に示す手袋装着装置では、モーターによって排気装置を稼働させたり、人力によって負圧を発生させる必要があった。
【先行技術文献】
【特許文献】
【０００４】
【特許文献１】国際公開２００８−０３８４３８号公報
【特許文献２】特開昭５３−６３７８９号公報
【特許文献３】特開２００２−０６５６９６号公報
【発明の概要】
【発明が解決しようとする課題】
【０００５】
排気装置は、便利ではあるが電源を必要とするので設置場所の制限を受けるし、電池を装着するとしても交換や充電の手間がある。また、排気装置自体の大きさやコストも問題である。
特許文献３に示すものでは、装着操作時に片方の手で押し込む操作を行いながら、他方の手を容器内に挿入する必要があり、同時に両手で操作するのは煩わしいし、片手では挿入できない人であれば装着すらできない。片方の手で押し込みつつ、もう片方の手で押さないといけないので、必然的に垂直方向に押し下げることになる。斜め方向であると、押し込む力で本体が移動してしまうからである。すなわち、設置方向は必然的に限られる。
その他、装着した手袋を自らの操作で容器から外さないといけない。
本発明は、より利便性の高い手袋装着装置を提供する。
【課題を解決するための手段】
【０００６】
本発明は、有底筒状の外側ケースと、この外側ケースの内周面に対して摺動可能であり、概略筒状に形成されて上記外側ケースから突き出る部位にて手袋の開口部位を装着可能な内側ケースと、上記内側ケースを上記外側ケース内における摺動可能範囲にて押し出す方向に付勢する付勢機構と、上記内側ケースの内部空間と気密的に連通し、上記摺動可能範囲にて、上記内側ケースと上記外側ケースとが離れると内部空間の容積が拡大し、上記内側ケースと上記外側ケースとが近接すると内部空間の容積が縮小する気密ケースと、上記付勢機構に抗して相対的に上記内側ケースを上記外側ケースの奥側位置で保持および解放するノッチ機構と、上記気密ケース内の正圧および負圧を維持および解放する弁機構とを備える構成としてある。
【０００７】
上記構成において、内側ケースは、外側ケースの内周面に対して摺動可能であり、概略筒状に形成されて上記外側ケースから突き出る部位にて手袋の開口部位を装着可能となっている。
付勢機構は、上記内側ケースを上記外側ケース内における摺動可能範囲にて押し出す方向に付勢することができるため、弁機構によって気密ケース内の正圧解放させながら、上記内側ケースを上記外側ケース内における摺動可能範囲にて奥側に移動させると、上記気密ケースの内部空間の容積が縮小するが、上記気密ケース内の正圧は解放された状態となる。この状態でノッチ機構により、上記付勢機構に抗して相対的に上記内側ケースを上記外側ケースの奥側位置で保持することができる。次に、弁機構によって気密ケース内を外界から断絶させ、上記内側ケースにおける上記外側ケースから突き出る部位に手袋の開口部位を装着する。すると、手袋の内部、内側ケースの内部、気密ケースの内部は、連通した空間となり、かつ、外界からは断絶された状態となる。
【０００８】
この状態で、上記ノッチ機構により、上記内側ケースを上記外側ケースの奥側位置から解放させると、上記付勢機構によって上記内側ケースを上記外側ケース内における摺動可能範囲にて押し出す方向に移動させるため、上記気密ケースの内部空間の容積が拡大して上記気密ケース内に負圧が形成される。上記気密ケースと上記内側ケース内は連通しており、この結果、上記内側ケースの開口に気密的に装着されている手袋の内側（外気に連通していない側）に負圧が供給される。すると、手袋は内側ケース内に吸い込まれると共に、内側ケース内で膨らむ。この状態では手袋内に容易に装着者の手を挿入することができる。この状態で手を押し込んで内側ケースを外側ケースの内部へと移動させていくと、気密ケース内の負圧が小さくなっていき、気密ケース内の圧力は正圧へと変化し、その正圧によって自動的に弁機構が開放され気密ケース内は外気圧と同一となり手袋は装着者の手に密着した状態となる。装着者は手を上記内側ケース内から引き抜いて手袋の装着作業が終了する。
【発明の効果】
【０００９】
本発明は、付勢機構に抗して内側ケースを相対的に外側ケース内に押し込み、その後、ノッチ機構で当該状態を解放させるだけで内側ケース内部に負圧を形成でき、モーターを利用した排気機構を必要としない手袋装着装置を提供することができる。
また、挿入操作と同時に負圧を生成する操作を行わないで済むので、押し込む際の付勢方向が鉛直下方に限られず、斜め方向でも可能である。すると、手袋の挿入方向に自由度が得られ、挿入しやすい斜め下方に向けるということも可能になる。
【図面の簡単な説明】
【００１０】
【図１】手袋装着装置の斜視図である。
【図２】手袋装着装置の一部破断上面図である。
【図３】手袋装着装置の一部破断側面図である。
【図４】手袋装着装置の底面図である。
【図５】手袋装着装置の一部破断正面図である。
【図６】手袋装着装置におけるガルウィングとスライダーの当接部分の断面模式図である。
【図７】手袋装着装置におけるガルウィングのピンの取り付け構造を示す断面図である。
【図８】手袋装着装置におけるガルウィングのピンの取り付け構造を示す断面図である。
【図９】手袋装着装置におけるガルウィングのピンの取り付け構造を示す断面図である。
【図１０】変形例にかかる手袋装着装置の一部破断上面図である。
【図１１】手袋装着装置の一部破断側面図である。
【図１２】手袋装着装置の正面図である。
【図１３】手袋装着装置の気密スライドシールの要部拡大図である。
【発明を実施するための形態】
【００１１】
以下、図面にもとづいて本発明の実施形態を説明する。
図１は、本発明の一実施形態にかかる手袋装着装置を斜視図により示している。また、図２〜図５は、各部を一部破断図により示している。
同図において、台プレート１０に対して外部ケースとなる支持フレーム２０が固定されており、当該支持フレーム２０によって内側ケースとなるスライダー３０が支持されている。支持フレーム２０とスライダー３０は共に概ね断面が長円となっており、支持フレーム２０は有底筒状であり、スライダー３０は筒状である。スライダー３０にも筒体の奥には壁面を形成して有底の状態に近いものの、スライダー３０の奥の壁面は通気口３１が形成されており、支持フレーム２０の内部空間と連通している。また、支持フレーム２０内に蛇腹２５を配置してある。蛇腹２５は、筒状としたスライダー３０と連通し、スライダー３０が支持フレーム２０内の摺動可能範囲で移動するときに、拡大および縮小する。具体的には、スライダー３０と支持フレーム２０とが離れると内部空間の容積が拡大し、スライダー３０と支持フレーム２０とが近接すると内部空間の容積が縮小する。この蛇腹２５は、気密ケースに相当する。
一方、蛇腹２５は筒体に底を形成した有底筒状であるが、この奥側の壁面には蛇腹底部開放穴２１が形成され、対面する支持フレーム２０の奥側の壁面には外側ケース開放穴２８が形成されている。支持フレーム２０の外面側には、蛇腹底部開放穴２１と外側ケース開放穴２８を介して内外を連通あるいは遮蔽するバネ付き蝶番付きバルブ２９が装着されている。このバネ付き蝶番付きバルブ２９が開いたときは蛇腹２５およびスライダー３０の内部と外部とが連通する。後述するように本実施例でのバネ付き蝶番付きバルブ２９は、スライダー３０を押し込んで蛇腹２５とスライダー３０内が正圧となったとき（外気よりも圧力が高い状態を正圧と呼び、圧力が低い状態を負圧と呼ぶ）開き、正圧以外の時に閉じる。なお、蛇腹底部開放穴２１と外側ケース開放穴２８とバネ付き蝶番付きバルブ２９は、気密ケース内の正圧および負圧を維持および解放する弁機構に相当する。
ここで、支持フレーム２０は、有底筒状の外側ケースに相当し、スライダー３０は、この外側ケースの内周面に対して摺動可能であり、概略筒状に形成されて上記外側ケースから突き出る部位にて手袋の開口部位を装着可能な内側ケースに相当する。また、蛇腹２５とスライダー３０は、上記内側ケースの内部空間と気密的に連通し、上記摺動可能範囲にて、上記内側ケースと上記外側ケースとが離れると内部空間の容積が拡大し、上記内側ケースと上記外側ケースとが近接すると内部空間の容積が縮小する気密ケースに相当する。
【００１２】
図１に示すように、支持フレーム２０は、奥側の側壁から下方に伸びるケース形状となっており、下端にて台プレート１０に固定される。このとき、支持フレーム２０は前方側端部が後方側端部よりも水平面に対して高い位置となるように傾斜して支持されることになる。これにより、手袋を装着する人が手を挿入しやすくする姿勢を保持することができる。
【００１３】
図３および図４に示すように、スライダー３０の外周形状は、支持フレーム２０の内周面形状と長さ方向において所定の範囲で摺動可能な程度で一致している。隙間はできる限り小さくするように形成され、完全ではないが気密性を十分に発揮できるようにしてある。スライダー３０が摺動可能な範囲を規制するため、支持フレーム２０の下面には長さ方向に平行に二つの溝（スプリングストローク走行案内溝）２２，２２が形成されており、スライダー３０の側には支持フレーム２０の内側から外側に向けて突き出るスライダー側スプリング固定用ピン３２，３２が形成されている。
【００１４】
スライダー側スプリング固定用ピン３２，３２には、引っ張りバネ３３，３３の一端が係止されており、同引っ張りバネ３３，３３の他端は支持フレーム２０の下面における手前側から下方に突出する支持フレーム側スプリング固定用ピン２３，２３に係止されている。引っ張りバネ３３，３３はスライダー３０を支持フレーム２０に対して手前側に引き出すように付勢し、また、スライダー３０を支持フレーム２０に対して奥側に押し込むことができるように、その形状や長さなどを調整して決定してある。言い換えると、引っ張りバネ３３，３３は、スライダー３０の可動範囲で、支持フレーム２０に対して手前側に引き出した位置でもたるむことはなく、また、スライダー３０を支持フレーム２０に対して奥側に押し込んだ位置でも伸びきって付勢力を失うことはない。
【００１５】
このように、引っ張りバネ３３の一端をスライダー側スプリング固定用ピン３２，３２に係止させ、他端をスライダー側スプリング固定用ピン２３，２３に係止させることにより、内側ケースであるスライダー３０を外側ケースである支持フレーム２０内における摺動可能範囲にて押し出す方向に付勢しており、付勢機構を構成している。
【００１６】
支持フレーム２０の下面には、ワンウェイノッチ機構２４が形成されている。ワンウェイノッチ機構２４は、レバー２４ａ、ピン２４ｂ、バネ２４ｃ、下方に突出する２枚の板状の支持ブラケット部２４ｄ，２４ｄ、開口部２４ｅなどから形成され、レバー２４ａは２枚の板状の支持ブラケット部２４ｄ，２４ｄに挟まれた状態でピン２４ｂにて貫通されて回動可能に支持されており、バネ２４ｃがレバー２４ａの前方側を下方に押し下げるように付勢している。これにより、レバー２４ａの後方側先端は開口部２４ｅを介して支持フレーム２０の内側に入り込んで突き当たっている。突き当たる先にはスライダー３０の下面に形成したスライダー本体切り欠きスライダー凹部３４が形成されている。スライダー凹部３４は所定の位置に形成してあり、レバー２４ａの先端はスライダー３０を押し込んで行くときに、スライダー凹部３４を乗り越えるものの、スライダー３０が逆方向に移動しようとするときには係止する。そして、レバー２４ａの手前側の端部をバネ２４ｃに抗して引き上げると、レバー２４ａの奥側の端部とスライダー凹部３４との係止が解除され、引っ張りバネ３３，３３の付勢力によってスライダー３０は手前側に引き戻されるという仕組みである。
【００１７】
このように、引っ張りバネ３３，３３等で構成される付勢機構に抗して相対的に内側ケースであるスライダー３０を外側ケースである支持フレームの奥側位置で保持および解放できるようにするワンウェイノッチ機構２４が、ノッチ機構を構成している。
本実施例では、スライダー凹部３４を所定の位置に形成しているが、例えば、ある範囲にわたって鋸刃状の部位を形成することで任意の場所で係止できるようにしても良い。また、ワンウェイノッチ機構２４の構成は同様の目的を達する他の形状に変更可能である。
【００１８】
図２に示すように、本実施例においては、スプリングストローク走行案内溝２２，２２や開口部２４ｅを形成してあるため、支持フレーム２０は内外を気密的に隔離することができない。このため、蛇腹２５内を実質的な支持フレーム２０の内部空間としてある。蛇腹２５は前方側をスライダー３０の奥側の壁面に気密的に連結させ、後方側を支持フレーム２０の奥壁に気密的に連結させている。すなわち、この蛇腹２５自体が有底筒状となっており、前方の開口が、筒状としたスライダー３０に連結し、内部を拡大および縮小可能な一連の空間としている。
【００１９】
なお、蛇腹２５が、上記内側ケースと外側ケースとの間に配設されて、上記内側ケース内部空間と連通する伸縮可能な気密性を有する気密ケースの一部に相当する。
【００２０】
図２に示すように、支持フレーム２０の側には上面に透明板で形成した支持フレーム側確認窓２６を形成してあり、スライダー３０の側にも上面に透明板で形成したスライダー側確認窓３６を形成してある。スライダー３０を支持フレーム２０の奥側に押し込んだときに、支持フレーム側確認窓２６とスライダー側確認窓３６とが重なり合い、外部から透明板を介して内部が視認できるようにしてある。また、スライダー３０がもっとも支持フレーム２０から押し出されたときには、スライダー側確認窓３６が支持フレーム２０と重ならず、単独でスライダー側確認窓３６だけを介して内部を視認できることになる。
【００２１】
図２〜図５に示すように、支持フレーム２０の開口側の内周面には長さ方向に伸びる畝状の支持フレーム側突起２７が形成され、スライダー３０の開口側の内周面には支持フレーム側突起２７が入り込むことが可能な長さ方向に伸びる溝３７形成されている。スライダー３０はもっとも支持フレーム２０の内側に入り込んだ状態となるときに、スライダー３０の開口端と支持フレーム２０の開口端とがほぼ面一となる。後述するようにスライダー３０の開口端には手袋の開口端を被せる。手袋の開口端の部分（開口部位）は、その伸縮性によって溝３７の中には入り込まない。しかし、スライダー３０を支持フレーム２０の内側に押し込んでいく過程で、支持フレーム側突起２７は溝３７を覆うように被せてあるゴム手袋の端部に当接する。さらに押し込んでいくと支持フレーム側突起２７が手袋の端部を徐々にスライダー３０の開口端へと移動させ、最後にはスライダー３０から外すことになる。支持フレーム側突起２７は手を押し込む時スライダー３０と支持フレーム２０の隙間に噛みこまないために有効に作用する。
【００２２】
図５に示すように、スライダー３０は筒状に形成してあるものの、開口端に近い部位は壁面を分割して形成してある。開口の断面は概ね長円であり、上面側は筒体とした奥側と一体的に形成してある。しかし、下面側については、左側の曲面から下方の直線部分にかけてのピン付ガルウィング３８ａと、右側の曲面から下方の直線部分にかけてのピン無ガルウィング３８ｂとに区分けされている。ピン付ガルウィング３８ａとピン無ガルウィング３８ｂも、曲面側の端部で上面側の壁面に対してバネ付蝶番３８ａ１，３８ｂ１によって連結されており、開口端の断面平面内で回動可能である。バネ付蝶番３８ａ１，３８ｂ１は、ピン付ガルウィング３８ａとピン無ガルウィング３８ｂが開口内側に入り込む方向に付勢しているため、平常時は図５に示すように直線部分の端部が上面側の壁面に近接した状態である。この状態ではスライダー３０の開口端の外周長が小さくなる。後述するように手袋の開口端をスライダー３０の開口端に被せるが、この外周長が小さいほど手袋の開口端を広げる際に少なくて済み、作業が楽になる。
【００２３】
バネ付蝶番３８ａ１，３８ｂ１に抗してピン付ガルウィング３８ａとピン無ガルウィング３８ｂを押し広げれば、スライダー３０の開口端は奥側の筒体部分と同じ形状となる。このとき、図６に示すように、ピン付ガルウィング３８ａとピン無ガルウィング３８ｂの縁部は、スライダー３０の縁部の内側に押し付けられることになる。この部位にガルウィング部シール３８ｃを貼り付けてあり、押し付けられたときに気密性を確保しやすくなっている。
【００２４】
図７と図８に示すように、ピン付ガルウィング３８ａの端部には長さ方向に移動可能なピン３８ｄが収容されている。ピン３８ｄの先端は後方側に向けて突き出るように内部で付勢されている。
ピン付ガルウィング３８ａの端部では壁材の内部にスライダー３０の奥行き方向にほぼ一致する貫通穴３８ｄ１を形成してあり、同貫通穴３８ｄ１内には、先端をテーパー形状としたピン３８ｄと、スプリング３８ｄ２とが収容され、さらにピン３８ｄは、ピン付ガルウィング３８ａの外周面に連通する長穴３８ｄ３を介してネジ３８ｄ４と操作子３８ｄ５にて連結されている。貫通穴３８ｄ１内では手前側を密閉してあり、密閉側にスプリング３８ｄ２を収容しているので、同スプリング３８ｄ２がピン３８ｄを押し出す方向に付勢している。
【００２５】
しかし、ピン３８ｄに連結するネジ３８ｄ４は長穴３８ｄ３の長さの範囲でのみ移動できるので、ピン３８ｄは貫通穴３８ｄ１から完全に押し出されてしまうことはなく、図７に示すように先端だけが突出し、残りの部分が貫通穴３８ｄ１内に常に保持される状態となっている。また、図８に示すように長穴３８ｄ３の長さの範囲でピン３８ｄを貫通穴３８ｄ１内に引き戻すことも可能となっている。係止を解除したい場合は、操作子３８ｄ５を操作してピン３８ｄを貫通穴３８ｄ１内に引き戻す。
【００２６】
ピン３８ｄの先端は傾斜面となっており、この傾斜面はピン付ガルウィング３８ａを拡径状態とするときに、図９に示すように、スライダー３０の上面の壁面に形成した穴３８ｄ６の手前に形成してある斜面３８ｄ７に当接すると貫通穴３８ｄ１内に押し込むように誘導する方向となっている。一旦、同斜面３８ｄ７を乗り越えて穴３８ｄ６に対面すると、スプリング３８ｄ２の付勢力によってピン３８ｄの先端は穴３８ｄ６に入り込み、ピン付ガルウィング３８ａをスライダー３０の上面の壁面に係止させることができる。ピン付ガルウィング３８ａとスライダー３０の壁面とが係止した状態では、スライダー３０が拡径状態の位置から縮径状態へ戻ることを禁止させる。
【００２７】
このように、スライダー３０である内側ケースにおける長手方向の端部近傍で筒状の周壁面が分割され（ピン付ガルウィング３８ａとピン無ガルウィング３８ｂ）、筒状体としての長さ方向に平行な回転軸（バネ付蝶番３８ａ１，３８ｂ１）を有し、同回転軸を支軸として周壁面が内側に回動可能としている。
この結果、上記内側ケースにおける上記外側ケースから突き出る部位は長手方向と短手方向とを有する筒状であり、短手方向に厚み長さを変更可能となっている。
スライダー３０の開口端には、手袋引き込まれ防止用すべり止め４１を装着してある。これは後述するように手袋をスライダー３０の開口端に被覆するように装着した後で、手袋全体がスライダー３０の内側に引き込まれるとき、必要以上に引き込まれないようにするためのものである。なお、手袋をスライダー３０の開口端に被覆するように装着したときに隙間ができにくいようにすると負圧の漏れが少なくなる。
【００２８】
本実施例では、スライダー３０の開口端を上面側の壁面と下面側の壁面に区分けし、下面側の壁面を変形させることで、上記内側ケースにおける上記外側ケースから突き出る部位を、開口幅の狭い縮径状態と開口幅の広い拡径状態とに変化する開口幅調整機構として構成している。しかし、スライダー３０の開口端を長手方向に区分けし、一方が長手方向にスライドして開口幅を広げたり狭めたりするように変形させることも可能である。また、ピン付ガルウィング３８ａのピン３８ｄを穴３８ｄ６に係止させているが、同様の機能は他の係止機構にて構成可能であることはいうまでもない。
【００２９】
上記構成において、ゴムや樹脂などでできている手袋を装着する操作では、図２の上側に示すように、スライダー３０自体が支持フレーム２０からもっとも突き出ている状態から開始する。この状態で、操作者はスライダー３０を支持フレーム２０の奥側に押し込む。引っ張りバネ３３，３３に抗してスライダー３０をもっとも押し込むと、ワンウェイノッチ機構２４におけるレバー２４ａの先端がスライダー凹部３４に係止する。このとき、スライダー３０の開口端は支持フレーム２０の開口端よりも突き出ている。
【００３０】
次に、操作者は手袋の開口端を左右に引き延ばしながらスライダー３０の開口端に被せる。スライダー３０の開口端のピン付ガルウィング３８ａとピン無ガルウィング３８ｂは拡径した状態ではないので、手袋の開口端を広げなければならない長さが短くて済み、女性などの力の弱い人でも比較的容易に装着できる。手袋の開口端を被せることができたら、手袋の外側からピン付ガルウィング３８ａを指先で下に押し下げる。ピン付ガルウィング３８ａの方がピン無ガルウィング３８ｂよりも長く形成してあり、図５に示すように、ピン付ガルウィング３８ａの先端はピン無ガルウィング３８ｂの先端よりも内側に入り込んでいる。
【００３１】
従って、ピン付ガルウィング３８ａを指先で下に押し下げる。ピン付ガルウィング３８ａの先端がピン無ガルウィング３８ｂの先端を内側から下方に押し下げることにもなり、ピン付ガルウィング３８ａとピン無ガルウィング３８ｂは共に下方に移動しながら上面側の壁面と同様の壁面を形成するに至る。むろん、この動作によってスライダー３０の開口端の外周長が徐々に長くなっていき、手袋の開口端も内側から押し広げられることになる。ピン付ガルウィング３８ａの先端がスライダー３０の奥の方の壁面と重なり合う状態となるとき、上述したようにしてピン３８ｄが穴３８ｄ６に入り込んで係止する。これにより、ピン付ガルウィング３８ａとピン無ガルウィング３８ｂは、上面側の壁面とほぼ同様の断面形状となり、スライダー３０は奥側の筒体と同様の周面を形成する。
【００３２】
この状態では、支持フレーム２０内の蛇腹２５の内部空間と、スライダー３０の内部空間とは連通しており、かつ、一体的となっている。さらに、スライダー３０の開口端に手袋を被せてあるので、当該空間は気密的に閉じた空間となっている。
次に、ワンウェイノッチ機構２４のレバー２４ａの手前側を引き上げると、レバー２４ａの先端がスライダー凹部３４から外れる。すると、引っ張りバネ３３，３３の付勢力により、スライダー３０は支持フレーム２０から押し出される方向に駆動させられる。この動きは支持フレーム２０内の蛇腹２５の内部空間と、スライダー３０の内部空間を拡大させることになるので、内部に負圧を発生させる。内部が負圧となることでスライダー３０の開口端に被せられている手袋は外気の気圧によって押されてスライダー３０の内部に引き込まれ、さらに、負圧に応じて膨らむ。ただし、スライダー３０の開口端には手袋引き込まれ防止用すべり止め４１を装着してあるため、手袋全体がスライダー３０の内側に引き込まれても、スライダー３０の開口端から外れて引き込まれることは防止できる。なお、負圧が発生することにより蛇腹底部開放穴２１は閉じ、負圧を維持する。
【００３３】
この膨らんだ状態の時に操作者は手袋の開口端から手を挿入する。手袋はスライダー３０内で膨らんでいるので、操作者は容易に指先まで手袋に挿入できる。手袋が指先に装着されても、まだ、手を押し込む操作を行う。すると、指先がスライダー３０内の奥側の壁面に突き当たるので、さらに指先でスライダー３０を押し込んでいく。この動きは、支持フレーム２０内の蛇腹２５の内部空間と、スライダー３０の内部空間を縮小させることになるので、内部の負圧は小さくなっていき、手袋は操作者の手にフィットしてくる。また、スライダー３０の開口端が支持フレーム２０の開口端に入り込んでいくため、支持フレーム側突起２７が溝３７を覆うように被せてあるゴム手袋の端部に当接し始め、さらに押し込んでいくと支持フレーム側突起２７が手袋の端部を徐々にスライダー３０の開口端へと移動させて最後にはスライダー３０から外す。
【００３４】
スライダー３０の開口端方ゴム手袋が外れることで、支持フレーム２０内の蛇腹２５の内部空間と、スライダー３０の内部空間は外気と連通する。また、スライダー３０は支持フレーム２０内に十分に押し込まれているが、操作者が手を引き抜き始めるとスライダー３０は徐々に手前側に戻ってくる。しかし、上述したようにワンウェイノッチ機構２４のレバー２４ａがスライダー凹部３４に係止する位置で止まる。
【００３５】
以後は、この位置で、再度、スライダー３０の開口端に手袋を被せる操作から再開することになる。
このように、本発明では、電源を必要とする動力装置を一切使用せず、誰でも容易に使用できる小型軽量の「手動式手袋装着装置」を開発した。
本装置の主要駆動力は「引っ張りコイルばね」である。引っ張りバネ３３の反発力で負圧を創り、手袋を吸着した後は主に装置を構成している部品間から負圧部に外気が侵入しない様確実にシーリングする事により吸着状態が長く維持される。
なお、引っ張りバネ３３，３３については、支持フレーム２０の下面側外側に配設されているが、これを支持フレーム２０の内部で図２の二点鎖線で示す圧縮バネ３３ａ、３３ａとし、圧縮に対する反発を利用して支持フレーム２０に対してスライダー３０を押し出す方向に付勢させるようにしても良い。
【００３６】
手を挿入した後は引っ張りバネ３３の反力に抗いながらそのまま手袋が外れるまで奥へ押し込むことで、スライダーの開口端部が支持フレーム２０の端部の支持フレーム側突起２７に押されて支持フレーム２０の開口端の先端部より中にもぐることにより自動的に外される。
この時、ワンウェイノッチ機構２４は掛からない。手袋を装着したそのままの状態で手をスライダー３０から引き抜く時、スライダー３０は支持フレーム２０に設けたワンウェイノッチ機構により自動的にノッチが掛かる。（引っ張りバネ３３は引っ張り状態のまま）
【００３７】
次の手袋をスライダー３０の開口端にセットした後、ワンウェイノッチ機構２４を指先で外せば引っ張りバネ３３は解放され、一気にスライダー３０本体をスライドさせると共にセットした手袋をスライダー３０内面に吸着（手袋拡大）させ、最初の操作に戻る。
全体は小型軽量の為ハンドリングし易く簡単な操作で使用出来る。
支持フレーム側確認窓２６とスライダー側確認窓（透明・閉塞）３６を設けている為、外側から手袋の様子が見え安心できる。
【００３８】
スライダー３０の先端露出部分の下側半分は分割した左右のガルウィングになっている。ピン付ガルウィング３８ａとピン無ガルウィング３８ｂは図に於いて上下方向にスイングし、円周長さが縮小するため、手袋を先端にセットし易く、かつガルウィングを指先で元の位置に押し下げて合わせ部のシール性能を維持しつつ確実な操作が出来る。また、ワンウェイノッチ機構２４ではレバー２４ａの先端が常にバネ２４ｃで押し上げられ、スライダー３０の外面上をノッチのレバー２４ａの先端が接触摺動し、スライダー３０に形成した凹部には自動的に落ち込んで固定することができる。そして、レバー２４ａ引くことでスライダー３０が一気にスライドして手袋をホルダー内面に吸着させることになる。
【００３９】
スライダー３０の端部の通常位置は、支持フレーム２０内に押し込まれた位置にあり、この時の引っ張りバネ３３は引っ張られた状態のままにある。また蛇腹２５の長さも短い状態になっている。この時、手袋をスライダー３０の開口端にセットし、スライダー凹部３４からワンウェイノッチ機構２４を外すべく、レバー２４ａを手前に引くことで、一気にスライダー３０が支持フレーム２０内をバネ力が縮小して解放されるまでスライドし、同時に蛇腹２５も伸びることで、スライダー３０内部全体も一気に負圧になり、手袋は引きずり込まれ、スライダー３０の内部壁面側に吸着される。
【００４０】
蛇腹２５で発生した負圧は、通気口３１を通って内部全体が負圧になる。蛇腹２５の奥側の端部は支持フレーム２０の奥側の壁面に対して蛇腹固定部で支持されている。
【００４１】
スライダー３０の先端のガルウィング構造部は、手袋装着時に出来るだけ容易に装着できるよう円周長さを短くする為である。ガルウィング３８ａ，３８ｂを片手ワンタッチでセッテング出来る様に左右長さを変えてある。ガルウィング３８ａ，３８ｂはいずれも取り付け部分にバネ付蝶番３８ａ１，３８ｂ１を用い、その動作はガルウィングのピン３８ｄにより固定される。ガルウィング３８ａ，３８ｂの先端の斜め合わせ部分は薄いゴム等でシーリングしてある。ピン３８ｄが穴３８ｄ６外れると、ガルウィング３８ａ，３８ｂはバネ付蝶番３８ａ１，３８ｂ１により抱き込む形に跳ね上がる。
【００４２】
スライダー３０の開口端の先端面部およびガルウィングの開口端側の先端面部には、いずれも凹凸の表面を有するシートまたは凹凸形状に成形することで、手袋が吸い込まれたときに容易に内部深くに引きずり込まれないようにしてある。
本装置の性能はガルウィング等の可動部分、接続部分のシーリングによって影響を受ける。エアー吸い込み漏れが少ないほど長い時間手袋が拡大（吸着）させたままでいられる。したがって合わせ部分は全てシーリング構造（薄いゴム板等）とすることが好ましい。
【００４３】
また、拡大した手袋に手を挿入しつつ、スライダー３０と共に押し込む時、力を掛けやすくするため、スライダー３０の入口内面に押し込み用棒状突起３９を形成しておけば、手を当てて押し込みやすくすることができる。
【００４４】
本実施例では、外側ケースである支持フレーム２０が基台である台プレート１０に固定されており、内側ケースであるスライダー３０が外側ケースに対して摺動可能となっている。
【００４５】
本実施例では、蛇腹２５を使用している。しかし、引っ張りバネ３３，３３を圧縮バネ式３３ａ, ３３ａに変え支持フレーム２０の内側とスライダー３０の間に収容する構成にする事も可能である。また更にスプリングストローク走行案内溝２２，２２によって支持フレーム２０の内外が連通しない構成にすれば蛇腹２５を使用しなくても済む。ワンウェイノッチ機構２４は支持フレーム２０の下面における手前側に装着するので、スライダー３０と支持フレーム２０とが常に重なる範囲となることもあり、開口部２４ｅが支持フレーム２０とスライダー３０との気密性に影響しない。このように、上記内側ケースを上記外側ケースの内周面に対して気密的に摺動可能とし、上記外側ケースを気密的に形成することで上記気密ケースとして、実質的には蛇腹を不要とすることが可能である。
【００４６】
従って支持フレーム２０とスライダー３０を摺動させることで内部に負圧を発生させ手袋を拡大し、装着出来る方法は上記の如く構造的には（図４）蛇腹付引っ張りバネ３３，３３方式、（図２）蛇腹付圧縮バネ３３ａ，３３ａ方式、および蛇腹無し圧縮バネ３３ａ，３３ａ方式の３つの方法があることになる。
図１０〜図１２は、変形例にかかる手袋装着装置の各部を一部破断した状態で示しており、図１０は一部破断上面図であり、図１１は一部破断側面図であり、図１２は正面図である。
【００４７】
各図において、台プレート１１０に対して外部ケースとなる支持フレーム１２０が固定されており、当該支持フレーム１２０によって内側ケースとなるスライダー１３０が支持されている。支持フレーム１２０とスライダー１３０は共に概ね断面が長円となっており、支持フレーム１２０は有底筒状であり、スライダー１３０は筒状である。スライダー１３０にも筒体の奥には壁面を形成して有底の状態となっている。
スライダー１３０の外形形状と、支持フレーム１２０の内周形状は、両者の間にわずかな隙間を形成しつつ、互いに近接および離反可能であり、いわゆるピストンとシリンダを構成するといえる。
【００４８】
また、図１３に示すように、気密性を向上させるため、スライダー１３０の奥側の外周面には周面を一周する環状溝１３０ａを形成してあるとともに、同環状溝１３０ａにはリング状の気密スライドシール１２５ａを装着してある。気密スライドシール１２５ａは、スライダー１３０の外周面と支持フレーム１２０の内周面との間に介在して気密性を向上させている。一方で、気密スライドシール１２５ａは滑り抵抗の低い素材で形成してあり、スライダー１３０と支持フレーム１２０との摺動抵抗が高くならないようにしている。
【００４９】
なお、支持フレーム１２０の側には支持フレーム側突起１２７が形成され、スライダー１３０の側には溝１３７が形成されている点は、前述の実施形態と同様である。
スライダー１３０の奥の壁面はスライダー開放穴１２８ｂが形成されており、スライダー１３０の内部空間と支持フレーム１２０の内部空間とが連通している。ただし、スライダー開放穴１２８ｂについては、支持フレーム１２０の内部空間の側に復元機能付きバルブ１２９ｂが装着されており、この復元機能付きバルブ１２９ｂが開いたときは支持フレーム１２０の内部空間とスライダー１３０の内部空間とが連通する。
【００５０】
また、支持フレーム２０の内部空間からスライダー１３０の内部空間の側に向けては空気の流れは遮断され、スライダー１３０の内部空間から支持フレーム２０の内部空間の側に向けては空気の流れは遮断されないようになっている。
支持フレーム２０も筒体に底を形成した有底筒状であるが、この奥側の壁面には外側ケース開放穴１２８ａが形成されている。支持フレーム１２０の外面側には、外側ケース開放穴１２８ａを介して内外を連通あるいは遮蔽する復元機能付きバルブ１２９ａが装着されている。この復元機能付きバルブ１２９ａが開いたときは支持フレーム１２０の内部空間と外部とが連通する。
【００５１】
本実施例での復元機能付きバルブ１２９ａは、スライダー１３０を押し込んで支持フレーム１２０内が正圧となったとき開き、正圧以外の時に閉じる。なお、外側ケース開放穴１２８ａと復元機能付きバルブ１２９ａは、気密ケース内の正圧および負圧を維持および解放する弁機構に相当する。また、復元機能付きバルブ１２９ｂは、スライダー１３０を押し込んで支持フレーム１２０内が正圧となったとき気密的に閉じ、正圧以外の時に気密性はない状態となる。例えば、負圧となれば開き、ほぼ同圧となれば気密性を保持できるほどではない状態で閉じている。なお、スライダー開放穴１２８ｂと復元機能付きバルブ１２９ｂは、気密ケース内の正圧および負圧を維持および解放する弁機構に相当する。なお、スライダー１３０を押し込んだときに復元機能付きバルブ１２９ｂは閉じ、復元機能付きバルブ１２９ａは開き、支持フレーム１２０とスライダー１３０で形成される空間内の空気を押しだし、スライダー１３０を引くときには復元機能付きバルブ１２９ａは閉じ、復元機能付きバルブ１２９ｂは開き、手袋がスライダー１３０の開口に装着されていれば支持フレーム１２０とスライダー１３０の内部の空間を減圧する。
【００５２】
ここで、支持フレーム１２０は、有底筒状の外側ケースに相当し、スライダー１３０は、この外側ケースの内周面に対して摺動可能であり、概略筒状に形成されて上記外側ケースから突き出る部位にて手袋の開口部位を装着可能な内側ケースに相当する。また、支持フレーム１２０とスライダー１３０は、上記内側ケースの内部空間と気密的に連通し、上記摺動可能範囲にて、上記内側ケースと上記外側ケースとが離れると内部空間の容積が拡大し、上記内側ケースと上記外側ケースとが近接すると内部空間の容積が縮小する気密ケースに相当する。すなわち、蛇腹２５を使用しないで気密ケースを構成している。
【００５３】
支持フレーム２０の内周面側の奥壁（内底面）と、スライダー１３０の外周面側の奥壁面（外底面）の間には、圧縮バネ１３３を介在させてあり、圧縮バネ１３３は支持フレーム１２０の側からスライダー１３０を押し出す方向に付勢力を発生している。圧縮バネ１３３は、図では二本装着しているが、たとえば、スライダー１３０の奥壁面と相似形となりつつわずかに小型となる、一つの楕円状のコイルバネで形成することも可能である。この圧縮バネ１３３は、内側ケースを上記外側ケース内における摺動可能範囲にて押し出す方向に付勢する付勢機構に相当する。
【００５４】
支持フレーム１２０の下面には、ワンウェイノッチ機構１２４が形成されている。ワンウェイノッチ機構１２４は、レバー１２４ａ、ピン１２４ｂ、バネ１２４ｃ、下方に突出する２枚の板状の支持ブラケット部１２４ｄ，１２４ｄ、開口部１２４ｅなどから形成され、レバー１２４ａは２枚の板状の支持ブラケット部１２４ｄ，１２４ｄに挟まれた状態でピン１２４ｂにて貫通されて回動可能に支持されており、バネ１２４ｃがレバー１２４ａの前方側を下方に押し下げるように付勢している。これにより、レバー１２４ａの後方側先端は開口部１２４ｅを介して支持フレーム１２０の内側に入り込んで突き当たっている。突き当たる先にはスライダー１３０の下面に形成したスライダー本体切り欠きスライダー凹部１３４が形成されている。スライダー凹部１３４は所定の位置に形成してあり、レバー１２４ａの先端はスライダー１３０を押し込んで行くときに、スライダー凹部１３４を乗り越えるものの、スライダー３０が逆方向に移動しようとするときには係止する。そして、レバー１２４ａの手前側の端部をバネ１２４ｃに抗して引き上げると、レバー１２４ａの奥側の端部とスライダー凹部３４との係止が解除され、圧縮バネ１３３の付勢力によってスライダー１３０は手前側に引き戻されるという仕組みである。
【００５５】
なお、スライダー１３０の開口端には、上述したガルウィング構造部を形成していない。手袋装着時に円周長さを短くすることはできないが、構造が簡素となり、スライダー１３０の周壁面の気密性を向上させることができる。
上記構成において、ゴムや樹脂などでできている手袋を装着する操作では、図１０の上側に示すように、スライダー１３０自体が支持フレーム１２０からもっとも突き出ている状態から開始する。この状態で、操作者はスライダー１３０を支持フレーム１２０の奥側に押し込む。圧縮バネ１３３に抗してスライダー１３０をもっとも押し込むと、ワンウェイノッチ機構１２４におけるレバー１２４ａの先端がスライダー凹部１３４に係止する。このとき、スライダー１３０の開口端は支持フレーム１２０の開口端よりも突き出ている。
【００５６】
次に、操作者は手袋の開口端を左右に引き延ばしながらスライダー１３０の開口端に被せる。この状態では、支持フレーム１２０内の内部空間と、スライダー１３０の内部空間とはともに通常の大気圧の状態であり、復元機能付きバルブ１２９ａ，１２９ｂは閉じてはいる。さらに、スライダー１３０の開口端に手袋を被せてあるので、支持フレーム１２０内の内部空間と、スライダー１３０の内部空間は気密的に閉じた空間となっている。
【００５７】
次に、ワンウェイノッチ機構１２４のレバー１２４ａの手前側を引き上げると、レバー１２４ａの先端がスライダー凹部１３４から外れる。すると、圧縮バネ１３３の付勢力により、スライダー１３０は支持フレーム１２０から押し出される方向に駆動させられる。この動きは支持フレーム１２０の内部空間と、スライダー１３０の内部空間を拡大させることになるので、内部に負圧を発生させる。ただし、復元機能付きバルブ１２９ａは閉じて負圧を保持しようとするが、復元機能付きバルブ１２９ｂは開いて支持フレーム１２０の内部空間とスライダー１３０の内部空間とが概ね同じ程度の負圧となるようにする。この後、復元機能付きバルブ１２９ｂは、スライダー１３０の内部空間の負圧が支持フレーム１２０の内部空間の側に逆流しないように機能する。これにより、スライダー１３０内部の負圧が長時間手袋を拡張させておくことができるようになる。
【００５８】
そして、主にスライダー１３０の内部が負圧となることでスライダー１３０の開口端に被せられている手袋は外気の気圧によって押されてスライダー１３０の内部に引き込まれ、さらに、負圧に応じて膨らむ。ただし、スライダー１３０の開口端には手袋引き込まれ防止用すべり止め１４１を装着してあり、手袋全体がスライダー１３０の内側に引き込まれても、スライダー１３０の開口端から外れて引き込まれることは防止できる。
【００５９】
この膨らんだ状態の時に操作者は手袋の開口端から手を挿入する。手袋はスライダー１３０内で膨らんでいるので、操作者は容易に指先まで手袋に挿入できる。手袋が指先に装着されても、まだ、手を押し込む操作を行う。スライダー１３０の内周面の奥の方には内周側に突き出て幅方向に広がる押し込み用棒状突起１３９を形成してあり、指先がスライダー１３０内の押し込み用棒状突起１３９に突き当たるので、さらに指先でスライダー１３０を押し込んでいく。この動きは、支持フレーム１２０の内部空間と、スライダー１３０の内部空間を縮小させることになるので、支持フレーム１２０の内部の負圧は小さくなっていくが、その反面、スライダー１３０の内部空間の負圧は維持される。また、スライダー１３０の開口端が支持フレーム１２０の開口端に入り込んでいくため、支持フレーム側突起１２７が溝１３７を覆うように被せてあるゴム手袋の端部に当接し始め、さらに押し込んでいくと支持フレーム側突起１２７が手袋の端部を徐々にスライダー１３０の開口端へと移動させて最後にはスライダー１３０から外す。
【００６０】
スライダー１３０の開口端方ゴム手袋が外れることで、スライダー１３０の内部空間は外気と連通する。また、スライダー１３０は支持フレーム１２０内に十分に押し込まれているが、操作者が手を引き抜き始めるとスライダー１３０は徐々に手前側に戻ってくる。しかし、上述したようにワンウェイノッチ機構１２４のレバー１２４ａがスライダー凹部１３４に係止する位置で止まる。
以後は、この位置で、再度、スライダー１３０の開口端に手袋を被せる操作から再開することになる。
【００６１】
このように圧縮バネ１３３が支持フレーム１２０の内部で圧縮されることでスライダー１３０を押し出す推力構造にしている。外側ケース開放穴１２８ａよりも大きいスライダー開放穴１２８ｂが大きくしておくことで、瞬発的な発生した負圧により手袋はスライダー１３０奥に引きずり込まれやすくなり、拡張させることができる。復元機能付きバルブ１２９ａ，１２９ｂは、ゴムシートなどでも代用可能である。例えば、四角形のゴムシートの一片の近辺のみ接着しておくことで、同様の機能を奏することもできる。
なお、復元機能付きバルブについては、大きく開閉するワンウェイバルブ機構で形成している。  
【００６２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６３】
１０…台プレート、２０…支持フレーム、２１…蛇腹底部開放穴、２２…スプリングストローク走行案内溝、２３…支持フレーム側スプリング固定用ピン、２４…ワンウェイノッチ機構、２４ａ…レバー、２４ｂ…ピン、２４ｃ…バネ、２４ｄ…支持ブラケット部、２４ｅ…開口部、２５…蛇腹、２６…支持フレーム側解放確認窓、２７…支持フレーム側突起、２８…外側ケース開放穴、２９…バネ付蝶番付バルブ  ３０…スライダー、３１…通気口、３２…スライダー側スプリング固定用ピン、３３…引っ張りバネ、３３ａ…圧縮バネ、３４…スライダー凹部、３６…スライダー側密閉確認窓、３７…溝、３８ａ…ピン付ガルウィング、３８ａ１…バネ付蝶番、３８ｂ…ピン無ガルウィング、３８ｂ１…バネ付蝶番、３８ｃ…ガルウィング部シール、３８ｄ…ピン、３８ｄ１…貫通穴、３８ｄ２…スプリング、３８ｄ３…長穴、３８ｄ４…ネジ、３８ｄ５…操作子、３８ｄ６…穴、３８ｄ７…斜面、３９…押し込み用棒状突起、４１…引き込まれ防止用すべり止め、１１０…台プレート、１２０…支持フレーム、１２４…ワンウェイノッチ機構、１２４ａ…レバー、１２４ｂ…ピン、１２４ｃ…バネ、１２４ｄ…支持ブラケット部、１２４ｅ…開口部、１２５ａ…気密スライドシール、１２７…支持フレーム側突起、１２８ａ…外側ケース開放穴、１２８ｂ…スライダー開放穴、１２９ａ…復元機能付きバルブ、１２９ｂ…復元機能付きバルブ、１３０…スライダー、１３０ａ…環状溝、１３３…圧縮バネ、１３４…スライダー凹部、１３７…溝、１３９…押し込み用棒状突起、１４１…引き込まれ防止用すべり止め。
【図１】
2018178346.tif 000003
【図２】
2018178346.tif 000004
【図３】
2018178346.tif 000005
【図４】
2018178346.tif 000006
【図５】
2018178346.tif 000007
【図６】
2018178346.tif 000008
【図７】
2018178346.tif 000009
【図８】
2018178346.tif 000010
【図９】
2018178346.tif 000011
【図１０】
2018178346.tif 000012
【図１１】
2018178346.tif 000013
【図１２】
2018178346.tif 000014
【図１３】
2018178346.tif 000015